【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】  ＮＸ１ＶＰＭＶＡＴＸ２[式中、Ｘ１は、Ｌ、Ｉ、Ｍ、Ｔ若しくはＶであり、そしてＸ２は、Ｖ、Ａ、Ｃ、Ｉ、Ｌ若しくはＴであり（ＳＥＱ  ＩＤ  ＮＯ：２）、ただしＮＬＶＰＭＶＡＴＶ（ＳＥＱ  ＩＤ  ＮＯ：１）ではなく；ＹＸＥＨＰＴＦＳＱＹ［式中、Ｘは、Ｓ、Ｔ若しくはＬである（ＳＥＱ  ＩＤ  ＮＯ：４）］；ＦＸ１ＦＰＴＫＤＶＡＬＸ２［式中、Ｘ１は、Ｖ若しくはＴであり、そしてＸ２はＬ、Ｒ若しくはＫである（ＳＥＱ  ＩＤ  ＮＯ：６）］；ＴＰＲＶＴＧＧＧＡＸ［式中、Ｘは、Ｌ、Ｍ若しくはＦである（ＳＥＱ  ＩＤ  ＮＯ：８）］；ＦＰＴＫＤＶＡＬ（ＳＥＱ  ＩＤ  ＮＯ：９）；ＲＰＨＥＲＮＧＦＴＶＬ（ＳＥＱ  ＩＤ  ＮＯ：１９）;およびＳＶＬＧＰＩＳＧＨＶＬＫ（ＳＥＱ  ＩＤ  ＮＯ：２０）からなる群から選択されるヒトサイトメガロウイルスに対するＭＨＣクラスＩの細胞性免疫反応を誘導するペプチド。
【請求項２】  前記ペプチドの配列がＮＸ１ＶＰＭＶＡＴＸ２［式中、Ｘ１は、Ｌ、Ｉ、Ｍ、Ｔ若しくはＶであり、そしてＸ２は、Ｖ、Ａ、Ｃ、Ｉ、Ｌ若しくはＴであり（ＳＥＱ  ＩＤ  ＮＯ：２）、ただしＮＬＶＰＭＶＡＴＶ（ＳＥＱ  ＩＤ  ＮＯ：１）ではない］である、請求項１に記載のペプチド。
【請求項３】  前記ペプチドの配列がＹＸＥＨＰＴＦＳＱＹ[式中、Ｘは、Ｓ、Ｔ若しくはＬである（ＳＥＱ  ＩＤ  ＮＯ：４）]である、請求項１に記載のペプチド。
【請求項４】  前記ペプチドの配列がＹＳＥＨＰＴＦＴＳＱＹ（ＳＥＱ  ＩＤ  ＮＯ：３）である、請求項３に記載のペプチド。
【請求項５】  前記ペプチドの配列がＦＸ１ＦＰＴＫＤＶＡＬＸ２［式中、Ｘ１は、Ｖ若しくはＴであり、そしてＸ２はＬ、Ｒ若しくはＫである（ＳＥＱ  ＩＤ  ＮＯ：６）］である、請求項１に記載のペプチド。
【請求項６】  前記ペプチドの配列がＦＶＦＰＴＫＤＶＡＬＲ（ＳＥＱ  ＩＤ  ＮＯ：５）である、請求項５に記載のペプチド。
【請求項７】  前記ペプチドの配列がＴＰＲＶＴＧＧＧＡＸ［式中、Ｘは、Ｌ、Ｍ若しくはＦである（ＳＥＱ  ＩＤ  ＮＯ：８）］である、請求項１に記載のペプチド。
【請求項８】  前記ペプチドの配列がＴＰＲＶＴＧＧＧＡＭ（ＳＥＱ  ＩＤ  ＮＯ：７）である、請求項７に記載のペプチド。
【請求項９】  前記ペプチドの配列がＦＰＴＫＤＶＡＬ（ＳＥＱ  ＩＤ  ＮＯ：９）である、請求項１に記載のペプチド。
【請求項１０】  脂質化されている、請求項１に記載のペプチド。
【請求項１１】  モノ脂質化されている、請求項１０に記載のペプチド。
【請求項１２】  ジ脂質化されている、請求項１０に記載のペプチド。
【請求項１３】  請求項１に記載のペプチドを含む、ヒトサイトメガロウイルスに対するワクチン。
【請求項１４】  請求項１に記載のペプチドがその表面上に提示されるようにin  vitroで処理されている抗原提示細胞を含む、ヒトサイトメガロウイルスに対する細胞性ワクチン。
【請求項１５】  前記抗原提示細胞が自己由来である、請求項１４に記載のヒトサイトメガロウイルスに対する細胞性ワクチン。
【請求項１６】  前記抗原提示細胞が同種由来である、請求項１４に記載のヒトサイトメガロウイルスに対する細胞性ワクチン。
【請求項１７】  細胞表面抗原ＨＬＡ分子を発現する細胞を請求項１に記載のペプチドと接触させることにより調製される抗原提示細胞。
【請求項１８】  細胞表面抗原ＨＬＡ分子がＡ＊０２０１である、請求項１７記載の抗原提示細胞。
【請求項１９】  請求項１に記載のペプチドをコードするＤＮＡ配列を含有するウイルスベクター。
【請求項２０】  真核ウイルス由来である、請求項１９に記載のウイルスベクター。
【請求項２１】  ワクシニアウイルス由来である、請求項２０に記載のウイルスベクター。
【請求項２２】  カナリア痘瘡由来である、請求項２０に記載のウイルスベクター。
【請求項２３】  ヒトサイトメガロウイルス感染に対する免疫システムの反応を増強するための、投与を含む方法に使用する薬物の製造における請求項１に記載のペプチドの使用。
【請求項２４】  ヒトサイトメガロウイルス感染に対する免疫システムの反応を増強するための、投与を含む方法に使用する薬物の製造における請求項１４に記載の細胞性ワクチンの使用。
【請求項２５】  ヒトサイトメガロウイルスに対する免疫性を提供するための、投与を含む方法に使用する薬物の製造における請求項１に記載のペプチドの使用。
【請求項２６】  ヒトサイトメガロウイルスに対する免疫性を提供するための、投与を含む方法に使用する薬物の製造における請求項１４に記載の細胞性ワクチンの使用。
【請求項２７】  ヒトサイトメガロウイルスの不顕性感染を有する個体を、感染の再活性化から守るための、投与を含む方法に使用する薬物の製造における請求項１に記載のペプチドの使用。
【請求項２８】  ヒトサイトメガロウイルスの不顕性感染を有する個体を、感染の再活性化から守るための、投与を含む方法に使用する薬物の製造における請求項１４に記載のペプチドの使用。
【請求項２９】  Ｔリンパ球を含有するサンプル中のヒトサイトメガロウイルスに感染したＴリンパ球の存在若しくは非存在を決定する方法であって、前記サンプル中のＴリンパ球を、請求項１記載のペプチドに感作される抗原提示細胞と接触させることを含む、前記方法。
【請求項３０】  個体からＴリンパ球を取り出し、in vitroで薬物にＴリンパ球を暴露して、その後、その結果物であるヒトサイトメガロウイルス反応性Ｔリンパ球を個体に再注入することを含むヒトサイトメガロウイルスに対して固体を免疫する方法に使用するための薬物の製造における請求項１に記載のペプチドの使用。
【請求項３１】  薬物を含有する遺伝子トランスファーベクターを個体に投与することを含む、ヒトサイトメガロウイルスに対する免疫性を提供する方法に使用する薬物の製造における請求項１に記載のペプチドをコードするＤＮＡの使用。
【請求項３２】  ヒトＴリンパ球を薬物に接触することを含む、ヒトサイトメガロウイルス反応性ヒト細胞障害性Ｔリンパ球を調製する方法に使用する薬物の製造における請求項１に記載のペプチドの使用。
【請求項３３】  ヒトサイトメガロウイルスによる免疫刺激を検出するための診断試薬であって、請求項１に記載のペプチドによって感作される抗原提示細胞を含む、前記診断試薬。
【請求項３４】  ヒトサイトメガロウイルスによる免疫刺激を診断する必要がある個体の、当該免疫刺激を診断する方法であって、in  vitroで前記個体のＴリンパ球を請求項３３に記載の診断試薬と接触させることを含む、前記方法。
【請求項３５】  ヒトサイトメガロウイルス感染の活性を診断する必要がある個体の、当該感染の活性を診断する方法であって、in  vitroで前記個体のＴリンパ球を請求項３３に記載の診断試薬と接触させることを含む、前記方法。
【請求項３６】  ヒトサイトメガロウイルスに対する暴露を診断する必要がある個体の、当該暴露を診断する方法であって、in  vitroで前記個体のＴリンパ球を請求項３３に記載の診断試薬と接触させることを含む、前記方法。
【請求項３７】  前記ペプチドの配列がＲＰＨＥＲＮＧＦＴＶＬ（ＳＥＱ  ＩＤ  ＮＯ：１９）である、請求項１に記載のペプチド。
【請求項３８】  前記ペプチドの配列がＳＶＬＧＰＩＳＧＨＶＬＫ（ＳＥＱ  ＩＤ  ＮＯ：２０）である、請求項１に記載のペプチド。
【請求項３９】  細胞表面抗原ＨＬＡ分子がＢ＊０７０２である、請求項１７に記載の抗原提示細胞。
【請求項４０】  細胞表面抗原ＨＬＡ分子がＡ＊１１０１である、請求項１７に記載の抗原提示細胞。